(57)【要約】【課題】利便性の良いデータ伝送システムにおけるデータ割当装置、及びデータ割当方法を提供することを目的としている。【解決手段】マスター装置とスレーブ装置の間で時分割複信により送受信データを送受信するデータ伝送システムであって、マスター装置とスレーブ装置の間で送受信される上りのデータと下りのデータの変調方式を決定する変調方式決定部と、変調方式決定部が決定した結果及び送受信データのビットレートに基づき割当を行うモードである第１の割当モードと変調方式決定部が決定した結果及び送受信データのシンボル数に基づき割当を行うモードである第２の割当モードとを切替信号に基づいて切替る切替部と、切替部が第１の割当モードに切り替えた場合、上りのデータと下りのデータを第１の割当モードで割り当て、切替部が第２の割当モードに切り替えた場合、上りのデータと下りのデータを第２の割当モードで割り当てを行う割当部とを備える。【選択図】図１
2014096729.tif 000002
【特許請求の範囲】
【請求項１】
マスター装置とスレーブ装置との間で、時分割複信により送受信データを送受信するデータ伝送システムであって、
前記マスター装置と前記スレーブ装置との間で送受信される上りのデータと下りのデータの変調方式を決定する変調方式決定部と、
前記変調方式決定部が決定した結果及び送受信データのビットレートに基づいて割当を行うモードである第１の割当モードと、前記変調方式決定部が決定した結果及び前記送受信データのシンボル数に基づいて割当を行うモードである第２の割当モードとを、切替信号に基づいて切り替える切替部と、
前記切替部が第１の割当モードに切り替えた場合、前記上りのデータと前記下りのデータとを前記第１の割当モードで割り当て、前記切替部が第２の割当モードに切り替えた場合、前記上りのデータと前記下りのデータとを前記第２の割当モードで割り当てを行う割当部と、
を備えることを特徴とするデータ伝送システムにおけるデータ割当装置。
【請求項２】
前記割当部は、
前記第１の割当モードにおいて、前記変調方式決定部が決定した結果に基づき前記上りのデータと前記下りのデータとのビットレートの比を算出し、算出した前記ビットレートの比をシンボルレートの比に換算し、一定長さの通信フレームに含まれるシンボル数と換算した前記シンボルレートの比に基づいて、前記上りのデータと前記下りのデータとを割り当て、
前記第２の割当モードにおいて、予め定められている前記上りのデータと前記下りのデータとの比を、一定長さの通信フレームに含まれるシンボル数に基づいて、前記上りのデータと前記下りのデータとを割り当てる
ことを特徴とする請求項１に記載のデータ伝送システムにおけるデータ割当装置。
【請求項３】
前記割当部は、
前記第１の割当モードにおいて、前記上りのデータと前記下りのデータとを割り当てた後、１無線フレーム周期における予め定められている総シンボル数に対して余剰なシンボルがある場合、前記余剰なシンボルを、前記上りのデータまたは前記下りのデータに割り当てる
ことを特徴とする請求項１または請求項２に記載のデータ伝送システムにおけるデータ割当装置。
【請求項４】
変調方式毎に、ＭＡＣフレームと前記シンボル数とが対応して記憶されている記憶部
を備え、
前記割当部は、
前記第１の割当モードにおいて、前記記憶部に記憶されているＭＡＣフレームと前記シンボル数との関係に基づいて、前記ビットレートの比をシンボルレートの比に換算し、
換算した前記シンボルレートの比と一定長さの通信フレームに含まれるシンボル数とに基づいて、前記上りのデータにおけるシンボル数と前記下りのデータにおけるシンボル数とを算出し、
前記記憶部に記憶されているＭＡＣフレームと前記シンボル数との関係に基づいて、算出した前記上りのデータにおけるシンボル数と前記下りのデータにおけるシンボル数とを各々、前記上りのデータにおけるＭＡＣフレーム数と前記下りのデータにおけるＭＡＣフレーム数とを算出して前記上りのデータと前記下りのデータとを割り当てる
ことを特徴とする請求項１から請求項３のいずれか１項に記載のデータ伝送システムにおけるデータ割当装置。
【請求項５】
前記マスター装置は、交換局に接続され、
複数の前記スレーブ装置は、各スレーブ装置が、各々、第１の基地局と第２の基地局に接続され、
前記切替部は、
前記交換局に接続されているマスター装置から前記第１の基地局に接続されているスレーブ装置への前記下りのデータから、前記第２の基地局に接続されているスレーブ装置から前記交換局に接続されているマスター装置への前記上りのデータへの干渉に基づいて、第２の割当モードに切り替える切り替え信号を生成する
ことを特徴とする請求項１から請求項４のいずれか１項に記載のデータ伝送システムにおけるデータ割当装置。
【請求項６】
マスター装置とスレーブ装置との間で、時分割複信により送受信データを送受信するデータ伝送システムにおけるデータ割当装置におけるデータ割当方法であって、
変調方式決定部が、前記マスター装置と前記スレーブ装置との間で送受信される上りのデータと下りのデータの変調方式を決定する変調方式決定手順と、
切替部が、前記変調方式決定手順により決定された結果及び送受信データのビットレートに基づいて割当を行うモードである第１の割当モードと、前記変調方式決定手順により決定された結果及び前記送受信データのシンボル数に基づいて割当を行うモードである第２の割当モードとを、切替信号に基づいて切り替える手順と、
割当部が、前記切り替える手順により第１の割当モードに切り替えられた場合、前記上りのデータと前記下りのデータとを前記第１の割当モードで割り当て、前記切り替える手順により第２の割当モードに切り替えられた場合、前記上りのデータと前記下りのデータとを前記第２の割当モードで割り当てを行う手順と、
を含むことを特徴とするデータ伝送システムにおけるデータ割当方法。
【発明の詳細な説明】
【技術分野】
【０００１】
本発明は、データ伝送システムにおけるデータ割当装置、及びデータ割当方法に関する。
【背景技術】
【０００２】
基地局と交換局との間でデータ伝送を行うデータ伝送システムでは、例えばＦＷＡ（固定無線アクセス）の通信方式が用いられている。このＦＷＡの通信方式は、ＴＤＤ（時分割複信）である。ＴＤＤでは、上りと下りの通信が、時間で区切って行われる。ＴＤＤでは、限られている帯域幅を効率的に使用するため、このような上りと下りの帯域幅割り当てが重要である。
【０００３】
例えば、データ割当装置では、変調方式毎の１シンボルに含まれるビットに基づき、所定バイト単位で均等に分割された固定長データを、変調方式毎の対応所定シンボル数に換算し、換算した変調方式毎の対応シンボル数を、データ領域の対応する変調方式のタイムスロットに割り当てる（例えば、特許文献１参照）。
【先行技術文献】
【特許文献】
【０００４】
【特許文献１】特開２００５−２４４５１０号公報
【発明の概要】
【発明が解決しようとする課題】
【０００５】
しかしながら、特許文献１では、送受信される上りのデータと下りのデータの変調方式が異なる場合、実際に送受信される上りのデータと下りのデータとのビットレートの比と、実際に割り当てられる上りのデータと下りのデータ帯域の比とが一致しない。従って、特許文献１では、データ伝送システムのユーザーにとって、実際の転送速度の比が分かりにくいため利便性が悪いという課題があった。
【０００６】
本発明は、上記の事情に鑑み成されたものであって、利便性の良いデータ伝送システムにおけるデータ割当装置、及びデータ割当方法を提供することを目的としている。
【課題を解決するための手段】
【０００７】
（１）上記目的を達成するため、本発明の一態様に係るデータ伝送システムにおけるデータ割当装置は、マスター装置とスレーブ装置との間で、時分割複信により送受信データを送受信するデータ伝送システムであって、前記マスター装置と前記スレーブ装置との間で送受信される上りのデータと下りのデータの変調方式を決定する変調方式決定部と、前記変調方式決定部が決定した結果及び送受信データのビットレートに基づいて割当を行うモードである第１の割当モードと、前記変調方式決定部が決定した結果及び前記送受信データのシンボル数に基づいて割当を行うモードである第２の割当モードとを、切替信号に基づいて切り替える切替部と、前記切替部が第１の割当モードに切り替えた場合、前記上りのデータと前記下りのデータとを前記第１の割当モードで割り当て、前記切替部が第２の割当モードに切り替えた場合、前記上りのデータと前記下りのデータとを前記第２の割当モードで割り当てを行う割当部と、を備えることを特徴としている。
（２）また、本発明の一態様に係るデータ伝送システムにおけるデータ割当装置において、前記割当部は、前記第１の割当モードにおいて、前記変調方式決定部が決定した結果に基づき前記上りのデータと前記下りのデータとのビットレートの比を算出し、算出した前記ビットレートの比をシンボルレートの比に換算し、一定長さの通信フレームに含まれるシンボル数と換算した前記シンボルレートの比に基づいて、前記上りのデータと前記下りのデータとを割り当て、前記第２の割当モードにおいて、予め定められている前記上りのデータと前記下りのデータとの比を、一定長さの通信フレームに含まれるシンボル数に基づいて、前記上りのデータと前記下りのデータとを割り当てるようにしてもよい。
（３）また、本発明の一態様に係るデータ伝送システムにおけるデータ割当装置において、前記割当部は、前記第１の割当モードにおいて、前記上りのデータと前記下りのデータとを割り当てた後、１無線フレーム周期における予め定められている総シンボル数に対して余剰なシンボルがある場合、前記余剰なシンボルを、前記上りのデータまたは前記下りのデータに割り当てるようにしてもよい。
（４）また、本発明の一態様に係るデータ伝送システムにおけるデータ割当装置において、変調方式毎に、ＭＡＣフレームと前記シンボル数とが対応して記憶されている記憶部を備え、前記割当部は、前記第１の割当モードにおいて、前記記憶部に記憶されているＭＡＣフレームと前記シンボル数との関係に基づいて、前記ビットレートの比をシンボルレートの比に換算し、換算した前記シンボルレートの比と一定長さの通信フレームに含まれるシンボル数とに基づいて、前記上りのデータにおけるシンボル数と前記下りのデータにおけるシンボル数とを算出し、前記記憶部に記憶されているＭＡＣフレームと前記シンボル数との関係に基づいて、算出した前記上りのデータにおけるシンボル数と前記下りのデータにおけるシンボル数とを各々、前記上りのデータにおけるＭＡＣフレーム数と前記下りのデータにおけるＭＡＣフレーム数とを算出して前記上りのデータと前記下りのデータとを割り当てるようにしてもよい。
（５）また、本発明の一態様に係るデータ伝送システムにおけるデータ割当装置において、前記マスター装置は、交換局に接続され、前記スレーブ装置は、複数有り、各スレーブ装置が、各々、第１の基地局と第２の基地局に接続され、前記切替部は、前記交換局に接続されているマスター装置から前記第１の基地局に接続されているスレーブ装置への前記下りのデータから、前記第２の基地局に接続されているスレーブ装置から前記交換局に接続されているマスター装置への前記上りのデータへの干渉に基づいて、第２の割当モードに切り替える切り替え信号を生成するようにしてもよい。
（６）上記目的を達成するため、本発明の一態様に係るデータ割当方法は、マスター装置とスレーブ装置との間で、時分割複信により送受信データを送受信するデータ伝送システムにおけるデータ割当装置におけるデータ割当方法であって、変調方式決定部が、前記マスター装置と前記スレーブ装置との間で送受信される上りのデータと下りのデータの変調方式を決定する変調方式決定手順と、切替部が、前記変調方式決定手順により決定された結果及び送受信データのビットレートに基づいて割当を行うモードである第１の割当モードと、前記変調方式決定手順により決定された結果及び前記送受信データのシンボル数に基づいて割当を行うモードである第２の割当モードとを、切替信号に基づいて切り替える手順と、割当部が、前記切り替える手順により第１の割当モードに切り替えられた場合、前記上りのデータと前記下りのデータとを前記第１の割当モードで割り当て、前記切り替える手順により第２の割当モードに切り替えられた場合、前記上りのデータと前記下りのデータとを前記第２の割当モードで割り当てを行う手順と、を含むことを特徴としている。
【発明の効果】
【０００８】
本発明によれば、データ伝送システムは、マスター装置とスレーブ装置とが運用されている環境に応じて、割当モードを切り替えて使用できるので、システムの管理者にとって利便性の良いデータ伝送システムを提供することができる。
【図面の簡単な説明】
【０００９】
【図１】本実施形態に係るデータ伝送システムの概略構成を示すブロック図である。
【図２】本実施形態に係る記憶部に記憶されている情報の概略を説明する図である。
【図３】マスターとスレーブとの間での通信を行うためのＴＤＤ方式による無線フレーム（通信フレーム）の構成を示す図である。
【図４】本実施形態に係るモード１における上りの通信と下りの通信の割当を説明する図である。
【図５】本実施形態に係るモード２における上りの通信と下りの通信の割当を説明する図である。
【図６】回り込みによる干渉を説明する図である。
【図７】干渉を避けるための通信例を説明する図である。
【図８】２つのリンクにおいて下りの変調方式と上りの変調方式が異なっている場合の下りの通信帯域と上りの通信帯域の例を説明する図である。
【図９】本実施形態に係るモード１の場合の割り当て処理のフローチャートである。
【図１０】具体例の前提条件を説明する図である。
【発明を実施するための形態】
【００１０】
まず、本発明の概要を説明する。
マスター装置とスレーブ装置間で行われる通信は、マスター装置からスレーブ装置にデータが送信される下りの通信と、スレーブ装置からマスター装置にデータが送信される上りの通信とがＴＤＤ（時分割複信）により行われる。マスター装置は、下りの通信と上りの通信の帯域幅を割り当てデータの送受信を行う。下りの通信と上りの通信の帯域幅を割り当てる方式は、適応割当方式と固定割当方式とがある。適応割当方式は、マスター装置からの要求無線フレーム数を考慮して、下りの通信と上りの通信の帯域幅を分割する方式である。固定割当方式は、予め選択されている比に、下りの通信と上りの通信の帯域幅を分割する方式である。
本発明のデータ伝送システムは、固定割当方式を用いて下りの通信と上りの通信の帯域幅を分割する際に、さらに２種類のモードを切り替えて割当を行う。
【００１１】
以下、本発明の実施の形態について図面を参照しながら説明する。
図１は、本実施形態に係るデータ伝送システム１の概略構成を示すブロック図である。図１に示すように、本実施形態に係るデータ伝送システム１は、マスター（マスター装置）１０、スレーブ（スレーブ装置）２０を含んで構成される。マスター１０とスレーブ２０とは、無線によりＰｏｉｎｔ  ｔｏ  Ｐｏｉｎｔ（１対１）接続されている。なお、図１では、マスター１０、スレーブ２０において、アンテナ、変復調部、及び通信制御部等を省略して図示している。なお、図１のブロック図では、固定割当方式を用いて下りの通信と上りの通信の帯域幅を分割に関わる機能部を図示しているが、データ伝送システム１は、適応割当方式に関わる機能部も有し、適応割当方式による割当も行うようにしてもよい。また、図１において、Ｐｏｉｎｔ  ｔｏ  Ｐｏｉｎｔのみを示しているが、Ｐｏｉｎｔ  ｔｏ  Ｍｕｌｔｉ  Ｐｏｉｎｔであってもよい。
【００１２】
マスター１０は、通信インタフェース回路１０１、下り送信バッファ１０２、計測部１０３、切替部１０４、割当部１０５、記憶部１０６、監視部１０７、ＴＤＤ−ＴＤＭ／ＴＤＭＡ制御回路１０８、及び上り受信バッファ１０９を含んで構成される。マスター１０は、有線でネットワーク３０に接続されている。対向機器４０は、有線でネットワークに接続されている。対向機器は、例えばサーバー、交換局等である。
【００１３】
通信インタフェース回路１０１は、ネットワーク３０に有線で接続されている対向機器４０と、データの送受信を行う。通信インタフェース回路１０１は、対向機器４０からスレーブ２０に送信する送信データを受信し、受信した送信データを下り送信バッファ１０２に蓄積させる。通信インタフェース回路１０１は、上り受信バッファ１０９に蓄積されている受信データを読み出し、読み出した受信データを対向機器４０に送信する。
下り送信バッファ１０２には、対向機器４０から受信された送信データが一時的に蓄積される。
【００１４】
計測部１０３は、下り送信バッファ１０２に蓄積された送信データについて、スレーブ２０毎のパケット数を周期的に計測する。計測部１０３は、計測した情報に基づいて下りデータ量情報を生成し、生成した下りデータ量情報を、割当部１０５に出力する。具体的には、計測部１０３は、固定長データに制御情報を付加した下り固定長パケット（タイムスロットに割り当てられる固定長データであるので固定長データともいう）Ｐｄの数を１無線フレームの周期毎に周期的に計測する。なお、固定長パケットＰｄの詳細は、後述する。
【００１５】
切替部１０４は、入力された切替信号に基づいて、割当部１０５が行う上りの通信と下りの通信の割当を行うモードを切り替える。なお、切替信号は、例えば、入力部（不図示）からデータ伝送システム１の管理者が入力した割り当てを示す信号である。
割当部１０５は、切替部１０４のモードの切り替えに応じて、上りの通信と下りの通信の割当を切り替える。上りの通信と下りの通信の割当のモードについては後述する。割当部１０５は、監視部１０７から入力された監視結果を示す情報に基づいて、下りの通信に用いる変調方式、及び上りの通信に用いる変調方式を決定する。割当部１０５は、決定した下りの通信の変調方式、上りの通信の変調方式に基づいて、記憶部１０６に記憶されている情報を用いて、下り送信データと上り送信データとに対して、１無線フレーム内での割当を行う。割当部１０５は、割り当てた結果である割当情報をＴＤＤ−ＴＤＭ／ＴＤＭＡ制御回路１０８に出力する。なお、割当部１０５が行う割当の処理については後述する。
【００１６】
図２は、本実施形態に係る記憶部１０６に記憶されている情報の概略を説明する図である。記憶部１０６には、図２（ａ）に示すように、変調方式毎に、ＭＡＣフレーム数とシンボル数とが関連づけられて、例えばテーブル形式で記憶されている。また、記憶部１０６には、図２（ｂ）に示すように、変調方式毎に、シンボル数と送信可能なＭＡＣフレーム数とが関連づけられて、例えばテーブル形式で記憶されている。なお、ＭＡＣフレームとは、無線フレームに含まれているデータであり、アドレスなどの制御情報を含む１群のデータである。データ伝送システム１の製造者又は管理者は、例えば、図２に示した情報を予め算出して、記憶部１０６に記憶させておく。
【００１７】
監視部１０７は、上りと下りの無線状態を監視し、監視した監視結果を示す情報を割当部１０５に出力する。なお、無線状態とは、受信における搬送波対雑音比（ＣＮＲ）、受信信号の強度（ＲＳＳＩ）等の状態である。
ＴＤＤ−ＴＤＭ／ＴＤＭＡ制御回路１０８は、スレーブ２０から受信した上りデータ量情報ｇ１を、割当部１０５に出力する。ＴＤＤ−ＴＤＭ／ＴＤＭＡ制御回路１０８は、割当部１０５から出力された割当情報に応じて、下りの通信と上りの通信とを行う。具体的には、ＴＤＤ−ＴＤＭ／ＴＤＭＡ制御回路１０８は、下り送信バッファ１０２に蓄積されている送信データを読み出して下りの通信を行い、スレーブ２０から送信された受信データを受信する上り受信を行う。ＴＤＤ−ＴＤＭ／ＴＤＭＡ制御回路１０８は、スレーブ２０から対向機器４０に送信する受信データを受信し、受信した受信データを上り受信バッファ１０９に一時的に蓄積させる。
上り受信バッファ１０９には、スレーブ２０から受信された受信データが一時的に蓄積される。
【００１８】
スレーブ２０は、通信インタフェース回路２０１、上り送信バッファ２０２、ＴＤＤ−ＴＤＭ／ＴＤＭＡ制御回路２０３、下り受信バッファ２０４、及び監視部２０５を含んで構成される。スレーブ２０は、有線で端末５０が接続されている。端末５０は、例えば、基地局、通信機能を有しているパーソナルコンピュータ、携帯端末等である。
【００１９】
通信インタフェース回路２０１は、端末５０からマスター１０に送信する送信データを受信し、受信した送信データを上り送信バッファ２０２に一時的に蓄積させる。
上り送信バッファ２０２には、端末５０から受信された送信データが一時的に蓄積される。
【００２０】
ＴＤＤ−ＴＤＭ／ＴＤＭＡ制御回路２０３は、マスター１０から受信した受信信号に含まれる情報に基づいて、下り受信及び上りの通信を行う。具体的には、ＴＤＤ−ＴＤＭ／ＴＤＭＡ制御回路２０３は、受信信号に含まれている下り回線領域の下りヘッダ領域の情報（ヘッダ情報）に従って下り受信及び上りの通信を行う。なお、下り回線領域の下りヘッダ領域については、後述する。ＴＤＤ−ＴＤＭ／ＴＤＭＡ制御回路２０３は、上り送信バッファ２０２に蓄積されている送信データを読み出し、読み出した送信データをマスター１０に送信する。ＴＤＤ−ＴＤＭ／ＴＤＭＡ制御回路２０３は、マスター１０から端末５０に送信する受信データを受信し、受信した受信データを下り受信バッファ２０４に一時的に蓄積させる。また、ＴＤＤ−ＴＤＭ／ＴＤＭＡ制御回路２０３は、監視部２０５から入力された監視結果を示す情報に基づいて上りデータ量情報ｇ１を生成し、生成した上りデータ量情報ｇ１をマスター１０に送信する。なお、ＴＤＤ−ＴＤＭ／ＴＤＭＡ制御回路２０３は、例えば生成した上りデータ量情報ｇ１を、送信するデータ中の上りヘッダに含めて送信する。
下り受信バッファ２０４には、マスター１０から受信された受信データが一時的に蓄積される。
監視部２０５は、無線状態を監視し、監視した監視結果をＴＤＤ−ＴＤＭ／ＴＤＭＡ制御回路２０３に出力する。
【００２１】
以上のように、本発明のデータ割当装置（マスター１０）は、マスター装置（マスター１０）とスレーブ装置（スレーブ２０）との間で、時分割複信により送受信データを送受信するデータ伝送システム（データ伝送システム１）であって、マスター装置とスレーブ装置との間で送受信される上りのデータと下りのデータの変調方式を決定する変調方式決定部（割当部１０５）と、変調方式決定部が決定した結果及び送受信データのビットレートに基づいて割当を行うモードである第１の割当モード（モード１）と、変調方式決定部が決定した結果及び送受信データのシンボル数に基づいて割当を行うモードである第２の割当モード（モード２）とを、切替信号に基づいて切り替える切替部（切替部１０４）と、切替部が第１の割当モードに切り替えた場合、上りのデータと下りのデータとを第１の割当モードで割り当て、切替部が第２の割当モードに切り替えた場合、上りのデータと下りのデータとを第２の割当モードで割り当てを行う割当部（割当部１０５）と、を備える。
この構成により、本発明のデータ伝送システム１は、切替信号に基づいて第１の割当モードと、第２の割当モードとを切り替えて、データを割り当てることができる。このため、本発明のデータ伝送システム１は、システム管理者の使い方に応じて、割当モードを切り替えて使用できるので、システムの管理者にとって利便性の良いデータ伝送システムを提供することができる。
【００２２】
次に、ＴＤＤ方式による無線フレーム（通信フレーム）の構成について説明する。
図３は、マスター１０とスレーブ２０との間での通信を行うためのＴＤＤ方式による無線フレーム（通信フレーム）の構成を示す図である。なお、図３に示した無線フレームの構成は、マスター１０とスレーブ２０とがＰｏｉｎｔ  ｔｏ  Ｐｏｉｎｔで接続されている場合の構成例である。１無線フレーム（１通信フレーム）の周期は、１〜１０［ｍｓ］程度のうち、固定の周期、たとえば１［ｍｓ］等に選択される。１無線フレームの周期（長さ）は、ハードウエア等との関係において、より短い周期あるいはより長い周期を選択することも可能である。
【００２３】
１無線フレームは、下り回線領域、上り回線領域、及び２つのガードタイム（ＴＳ１３及びＴＳ１６）とから構成される。下り回線領域は、下りヘッダ領域ＴＳ１１と下りデータ領域ＴＳ１２を含む。上り回線領域は、上りヘッダ領域ＴＳ１４と上りデータ領域ＴＳ１５とを含む。
【００２４】
１無線フレームの下り回線領域中、下りデータ領域ＴＳ１２は、複数のタイムスロットに分割されている。各タイムスロットには、対向機器４０からネットワーク３０を通じてマスター１０に送信されたイーサフレーム等の可変長フレームが、所定バイト単位で均等に分割された下り固定長パケット（単に、パケットともいう）Ｐｄが割り当てられる。なお、固定長パケットＰｄには、制御情報、固定長データ、誤り検出符号等が含まれている。
【００２５】
１無線フレームの上り回線領域中、上りデータ領域ＴＳ１５は、下りデータ領域ＴＳ１２と同様に、複数のタイムスロットに分割されている。各タイムスロットには、端末５０からスレーブ２０に送信されたイーサフレーム等の可変長フレームが、所定バイト単位で均等に分割された上り固定長パケット（単に、パケットともいう）Ｐｕが割り当てられる。なお、固定長パケットＰｕには、制御情報、固定長データ、誤り検出符号等が含まれている。
【００２６】
１つの無線フレームを構成する下りデータ領域ＴＳ１２と上りデータ領域ＴＳ１５の合計タイムスロット数（帯域）は、一定であるが、データ量（帯域要求）に応じて、１無線フレーム毎に、タイムスロット（帯域）を割り当てる、いわゆるスケジューリングの際に、下りデータ領域ＴＳ１２及び上りデータ領域ＴＳ１５のタイムスロット数（帯域）を動的に変更することができる。
【００２７】
本実施形態において、マスター１０とスレーブ２０とのデータ伝送では、無線変調方式として、下りヘッダ領域ＴＳ１１及び上りヘッダ領域ＴＳ１４は、ＱＰＳＫ（Ｑｕａｄｒａｔｕｒｅ  ＰＳＫ）変調方式、１６ＱＡＭ（Ｑｕａｄｒａｔｕｒｅ  Ａｍｐｌｉｔｕｄｅ  Ｍｏｄｕｌａｔｉｏｎ）変調方式、６４ＱＡＭ、及び２５６ＱＡＭのうち、いずれか１つの同一の所定の変調方式が採用されている。また、下りデータ領域ＴＳ１２及び上りデータ領域ＴＳ１５を構成する各タイムスロットでの変調方式は、スレーブ２０毎に、ＱＰＳＫ変調方式、１６ＱＡＭ変調方式、６４ＱＡＭ、及び２５６ＱＡＭのうち、いずれか１つの変調方式が採用されている。なお、ＱＰＳＫ変調方式では１シンボル（信号要素）で２ビットの情報を伝送することができ、１６ＱＡＭ変調方式では１シンボルで４ビットの情報を伝送することができる。６４ＱＡＭ変調方式では、１シンボルで８ビットの情報を伝送することができ、２５６ＱＡＭ変調方式では、１シンボルで１６ビットの情報を伝送することができる。
【００２８】
次に、本実施形態に係る割当部１０５における上りの通信と下りの通信の割当モードについて説明する。本実施形態において、割当部１０５は、以下のように２種類の割当モードを備えている。
（モード１（第１の割当モード））割当部１０５は、下りの通信速度（ビットレート）と上りの通信速度に基づいて、下りの通信と上りの通信で用いる帯域幅を割り当てる。
（モード２（第２の割当モード））割当部１０５は、下りの通信のシンボル数と上りの通信のシンボル数に基づいて、下りの通信と上りの通信で用いる帯域幅を割り当てる。
【００２９】
以下の説明では、１無線フレームを、例えば１０００シンボルとする。また、１無線フレームには、複数のＭＡＣ（Ｍｅｄｉａ Ａｃｃｅｓｓ  Ｃｏｎｔｒｏｌ）フレームを含んでいる。本発明のデータ伝送システム１では、変調方式毎に、このＭＡＣフレームあたりのシンボル数、転送速度が図２で説明したように、例えばテーブル形式で記憶部１０６に記憶されている。ＭＡＣフレームあたりのシンボル数は、ＱＰＳＫの場合が２００シンボル、１６ＱＡＭの場合が１００シンボル、６４ＱＡＭの場合が５０シンボルであるとする。また、１ＭＡＣフレームあたりの転送速度は、１［Ｍｂｐｓ］であるとする。
【００３０】
まず、モード１に割り当てた場合の下りの通信と上りの通信との各帯域幅の例を説明する。モード１において、データ伝送システム１の管理者は、例えば入力部から、モード１を入力、又は選択する。また、管理者は、入力部から下りの通信と上りの通信との帯域の比を入力、又は選択する。入力部から入力又は選択されたモード１を示す情報と、入力部から入力又は選択された、下りの通信と上りの通信との帯域の比とは、切替信号としてマスター１０に入力される。
以下に説明する例では、下りの通信と上りの通信との帯域が、１対１、または５０％と５０％に設定されている場合の例である。
【００３１】
図４は、本実施形態に係るモード１における上りの通信と下りの通信の割当を説明する図である。図４（ａ）は、下りの変調方式がＱＰＳＫ、上りの変調方式がＱＰＳＫである。図４（ｂ）は、下りの変調方式が１６ＱＡＭ、上りの変調方式がＱＰＳＫである。図４（ｃ）は、下りの変調方式が６４ＱＡＭ、上りの変調方式がＱＰＳＫである。図４（ａ）〜図４（ｃ）において、各波形がハイレベルの区間は下りの通信帯域を表し、各波形がローレベルの区間は上りの通信帯域を表している。また、図４（ａ）〜図４（ｃ）において、横軸は時刻を表している。
図４（ａ）に示した例では、マスター１０の割当部１０５が、下りの通信及び上りの通信におけるシンボル数を、各々、２個のＭＡＣフレーム分である４００（＝２［ＭＡＣフレーム］×２００シンボル）シンボルに割り当てる。この場合、下り１００シンボル、上り１００シンボルの余剰のシンボル数（以下、余剰シンボルという）が出るため、割当部１０５は、合計した２００シンボルを下りの通信に割り当てる。このため、下りの通信におけるシンボル数は、３個のＭＡＣフレーム分である６００（＝３［ＭＡＣフレーム］×２００シンボル）シンボルであり、上りの通信におけるシンボル数は、２個のＭＡＣフレーム分である４００（＝２［ＭＡＣフレーム］×２００シンボル）シンボルである。また、下りの通信における転送速度は、３個のＭＡＣフレーム分であるため３［Ｍｂｐｓ］（＝３［ＭＡＣフレーム］×１［Ｍｂｐｓ］）であり、上りの通信における転送速度（転送レート）は、２個のＭＡＣフレーム分であるため２［Ｍｂｐｓ］（＝２［ＭＡＣフレーム］×１［Ｍｂｐｓ］）である。
図４（ｂ）に示した例では、マスター１０の割当部１０５が、下りの通信におけるシンボル数を３個のＭＡＣフレーム分である３００（＝３［ＭＡＣフレーム］×１００シンボル）シンボルに割り当て、上りの通信におけるシンボル数を３個のＭＡＣフレーム分である６００（＝３［ＭＡＣフレーム］×２００シンボル）シンボルに割り当てる。割当部１０５は、余剰シンボルの１００シンボルを下りの通信に割り当てる。このため、下りの通信におけるシンボル数は、４個のＭＡＣフレーム分である４００（＝４［ＭＡＣフレーム］×１００シンボル）シンボルであり、上りの通信におけるシンボル数は、３個のＭＡＣフレーム分である６００シンボルである。また、下りの通信における転送速度は、４個のＭＡＣフレーム分であるため４［Ｍｂｐｓ］（＝４［ＭＡＣフレーム］×１［Ｍｂｐｓ］）であり、上りの通信の転送速度は、３個のＭＡＣフレーム分であるため３［Ｍｂｐｓ］（＝３［ＭＡＣフレーム］×１［Ｍｂｐｓ］）である。
図４（ｃ）に示した例では、マスター１０の割当部１０５が、下りの通信におけるシンボル数を４個のＭＡＣフレーム分である２００（＝４［ＭＡＣフレーム］×５０シンボル）シンボルに割り当て、上りの通信におけるシンボル数を４個のＭＡＣフレーム分である８００（＝４［ＭＡＣフレーム］×２００シンボル）シンボルに割り当てる。この場合、余剰シンボルがないため、割当部１０５は、余剰シンボルの再割り当てを行わない。このため、下りと上りの通信における転送速度は、４個のＭＡＣフレーム分なので、各々、４［Ｍｂｐｓ］（＝４［ＭＡＣフレーム］×１［Ｍｂｐｓ］）である。
【００３２】
すなわち、モード１では、まずマスター１０の割当部１０５が、１無線フレーム周期において、上下の転送レートが１対１、すなわち同じ転送レートになるように決定する。具体的には、割当部１０５が、上りの通信と下りの通信との同数のＭＡＣフレームを割り当てる。そして割当部１０５は、余剰シンボルがある場合、余剰シンボルを後述するように下りの通信または上りの通信に再割り当てを行う。なお、モード１では、変調方式に応じてシンボル数が異なるため、下りの通信の終了時刻又は上りの通信の開始時刻が異なる（時刻ｔ１、ｔ２、ｔ３）。
【００３３】
次に、モード２に割り当てた場合の下りの通信と上りの通信との各帯域幅の例を説明する。図５は、本実施形態に係るモード２における上りの通信と下りの通信の割当を説明する図である。図５（ａ）は、下りの変調方式がＱＰＳＫ、上りの変調方式がＱＰＳＫである。図５（ｂ）は、下りの変調方式が１６ＱＡＭ、上りの変調方式がＱＰＳＫである。図５（ｃ）は、下りの変調方式が６４ＱＡＭ、上りの変調方式がＱＰＳＫである。図５（ａ）〜図５（ｃ）において、各波形がハイレベルの区間は下りの通信帯域を表し、各波形がローレベルの区間は上りの通信帯域を表している。また、図５（ａ）〜図５（ｃ）において、横軸は時刻を表している。なお、以下の説明において、１無線フレームのシンボル数、各変調方式におけるシンボル数、転送速度、及び下りの通信と上りの通信との帯域の比は、図４と同様である。また、図５において、括弧内のシンボル数は、空データを含まないシンボル数を示している。
【００３４】
モード２では、下りの通信と上りの通信との帯域比を固定的に使用する。つまり、１無線フレームのシンボル数が１０００シンボルであり、比が５０％であった場合、シンボル数は、上りの通信が５００シンボル、下りの通信が５００シンボルである。モード２では、余剰のシンボル数が発生したとしても再割り当てを行わない。
図５（ａ）に示した例では、下りの通信及び上りの通信におけるシンボル数は、各々、２つのＭＡＣフレーム分である４００シンボルである。また、転送速度は、各々、２［Ｍｂｐｓ］である。この場合、下り通信及び上り通信ともに１００シンボルずつ余剰シンボルがあるが、割当部１０５は再割り当てを行わない。このため、下り及び上り通信において、余剰シンボル分の１００シンボルには、ダミーデータ（空データ）が付加される。これにより、下り及び上りの通信における総シンボル数は、各々５００シンボルである。
図５（ｂ）に示した例では、下りの通信におけるシンボル数は５個のＭＡＣフレーム分である５００（＝５［ＭＡＣフレーム］×１００シンボル）シンボルであり、上りの通信におけるシンボル数は、２個のＭＡＣフレーム分である４００シンボルである。この場合、上り通信に１００シンボルの余剰シンボルがあるが、割当部１０５は再割り当てを行わない。上りの通信において、余剰シンボル分の１００シンボルには、ダミーデータ（空データ）が付加される。このため、下りの通信における転送速度は５［Ｍｂｐｓ］（＝５［ＭＡＣフレーム］×１［Ｍｂｐｓ］）であり、上りの通信における転送速度は２［Ｍｂｐｓ］である。
図５（ｃ）に示した例では、下りの通信におけるシンボル数は１０個のＭＡＣフレーム分である５００（＝１０［ＭＡＣフレーム］×５０シンボル）シンボルであり、上りの通信におけるシンボル数は、２個のＭＡＣフレーム分である４００シンボルである。この場合も上り通信に１００シンボルの余剰シンボルがあるが、割当部１０５は再割り当てを行わない。上りの通信において、余剰シンボル分の１００シンボルには、ダミーデータ（空データ）が付加される。このため、下りの通信における転送速度は１０［Ｍｂｐｓ］（＝１０［ＭＡＣフレーム］×１［Ｍｂｐｓ］）であり、上りの通信における転送速度は２［Ｍｂｐｓ］である。
【００３５】
すなわち、モード２において、管理者が選択した割り当ての比は、下りの通信と上りの通信におけるシンボル数の比と一致する。このため、下りの通信の終了時刻ｔ１１は、変調方式が異なっても、変化しない。
【００３６】
次に、同じ周波数の搬送波を用いて、１つの交換局と複数の基地局とが無線で通信する場合を説明する。図６は、回り込みによる干渉を説明する図である。
図６に示した例は、ＦＷＡ（固定無線アクセス）の通信方式において、１つの交換局３０１と２つの基地局（３０４、３０５）とが、各々、マスター装置（３０２、３０７）とスレーブ装置（３０３、３０６）を介して無線で接続されている。マスター装置３０２及び３０７の構成は、図１のマスター１０の構成と同様であり、スレーブ装置３０３及び３０６の構成は、図１のスレーブ２０の構成と同様である。図６では、交換局３０１に接続されているマスター装置３０２から、第１の基地局３０４に接続されているスレーブ装置３０３へ、送信データ３１１を周波数ｆの変調波により送信する。また、第２の基地局３０５に接続されているスレーブ装置３０６から、交換局３０１に接続されているマスター装置３０７へ、送信データ３１２を周波数ｆの変調波により送信する。このように同じ周波数ｆの搬送波により下りの通信と上りの通信を同時に行った場合、送信データ３１１から送信データ３１２に回り込みによる干渉が発生する。
このような干渉を避けるため、従来は、図７に示すように、異なる周波数の搬送を用いて、交換局に接続されているマスター装置と基地局に接続されているスレーブ装置間との通信を行っていた。図７は、干渉を避けるための通信例を説明する図である。図７において、交換局（マスター装置を含む）３２１は、基地局（スレーブ装置を含む）３２２との間で、周波数ｆ１の変調波を用いて送受信データ３３１の送受信を行う。交換局３２１は、基地局３２３との間で、周波数ｆ２の変調波を用いて送受信データ３３２の送受信を行う。交換局３２１は、基地局３２４との間で、周波数ｆ３の変調波を用いて送受信データ３３３の送受信を行う。
【００３７】
このような回り込みによる干渉は、例えば図６において、交換局３０１に接続されているマスター装置３０２と第１の基地局３０４に接続されているスレーブ装置３０３と、交換局３０１に接続されているマスター装置３０７と第２の基地局３０５に接続されているスレーブ装置３０６との間で、データの送受信を異なる変調方式で行う場合にも発生する。
図８は、２つのリンクにおいて下りの変調方式と上りの変調方式が異なっている場合の下りの通信帯域と上りの通信帯域の例を説明する図である。図８（ａ）は、第１のリンクにおける下りの通信帯域と上りの通信帯域である。図８（ｂ）は、第２のリンクにおける下りの通信帯域と上りの通信帯域である。図８（ａ）及び図８（ｂ）において、各波形がハイレベルの区間は下りの通信帯域を表し、各波形がローレベルの区間は上りの通信帯域を表している。また、図８（ａ）及び図８（ｂ）において、横軸は時刻を表している。
図８（ａ）に示した例では、下りの変調方式がＱＰＳＫ、上りの変調方式が６４ＱＡＭである。図８（ｂ）は、下りの変調方式が６４ＱＡＭ、上りの変調方式がＱＰＳＫである。
図８（ａ）に示すように、第１のリンクでは、下りの通信帯域が時刻ｔ０〜時刻ｔ２２であり、上りの通信帯域が時刻ｔ２２〜時刻ｔ２３である。図８（ｂ）に示すように、第２のリンクでは、下りの通信帯域が時刻ｔ０〜時刻ｔ２１であり、上りの通信帯域が時刻ｔ２１〜時刻ｔ２３である。
この場合、時刻ｔ０〜時刻ｔ２１の期間、第１のリンク及び第２のリンクは、ともに下りの通信が行われている。次に、時刻ｔ２１〜時刻ｔ２２の期間、第１のリンクでは下りの通信が行われ、第２のリンクでは、上りの通信が行われている。次に、時刻ｔ２２〜時刻ｔ２３の期間、第１のリンク及び第２のリンクは、ともに上りの通信が行われている。
交換局に接続されているマスター１０と基地局に接続されているスレーブ２０とがスター状に接続されている場合、この時刻ｔ２１〜時刻ｔ２２の期間、第１のリンクと第２のリンクとの間で、送信データによる干渉が生じる。モード１では、マスター１０とスレーブ２０とがスター状に接続されている場合に、このような干渉が生じる場合もある。マスター１０とスレーブ２０とがスター状に接続されている状態とは、中心となるマスター１０を介してスレーブ２０である端末が相互に接続されている状態である。
【００３８】
次に、割当部１０５が行うモード１の場合の割り当て処理を説明する。図９は、本実施形態に係るモード１の場合の割り当て処理のフローチャートである。
（ステップＳ１）データ伝送システム１の管理者が、上下のビットレートの比を設定する。なお、管理者は、下りの通信に用いる帯域の割合のみを設定するようにしてもよい。あるいは、管理者は、上りの通信に用いる帯域の割合のみを設定するようにしてもよい。
（ステップＳ２）次に、割当部１０５は、対向機器４０から受信した下りデータ量情報、及びＴＤＤ−ＴＤＭ／ＴＤＭＡ制御回路１０８が出力した上りデータ量情報に基づき、記憶部１０６に記憶されているＭＡＣフレーム数とシンボル数との関係（図２（ａ））を用いて、ステップＳ１で算出したビットレートの比をシンボルレートの比に換算する。
（ステップＳ３）次に、割当部１０５は、１無線フレーム周期のシンボル数と、ステップＳ２で換算したシンボルレートの比を用いて、上りの通信で送信可能なシンボル数と、下りの通信で送信可能なシンボル数とを、各々算出する。
（ステップＳ４）次に、割当部１０５は、ステップＳ３で算出した上りの通信で送信可能なシンボル数に基づいて、記憶部１０６に記憶されているシンボル数と送信可能なＭＡＣフレーム数との関係（図２（ｂ））を用いて、上りの通信で送信可能なＭＡＣフレーム数を算出する。また、割当部１０５は、ステップＳ３で算出した下りの通信で送信可能なシンボル数に基づいて、記憶部１０６に記憶されているシンボル数と送信可能なＭＡＣフレーム数との関係（図２（ｂ））を用いて、下りの通信で送信可能なＭＡＣフレーム数を算出する。
（ステップＳ５）次に、割当部１０５は、ステップＳ４において余剰シンボルがあるか否か判別する。割当部１０５は、余剰シンボルがあると判別した場合、その余剰シンボルを上りの通信又は下りの通信に割り当て可能か否か判別する。割当部１０５は、割り当て可能であると判別した場合、余剰シンボルを上りの通信又は下りの通信に再割り当てる。
以上で、モード１の場合の割り当て処理を終了する。
【００３９】
次に、具体的なモード１の場合の割り当て処理の例を説明する。図１０は、具体例の前提条件を説明する図である。
図１０に示しように、以下の具体例において、１無線フレーム周期のシンボル数は、２０００シンボルである。また、この１無線フレーム周期には、複数のＭＡＣフレームが含まれている。そして、このＭＡＣフレームに含まれるシンボル数は、変調方式により異なる。以下の説明では、下りの変調方式が第１変調方式であり、上りの変調方式が第２変調方式であるとする。また、以下の説明では、第１変調方式の場合、１個のＭＡＣフレームに含まれるシンボル数は、１００シンボルであり、第２変調方式の場合、１個のＭＡＣフレームに含まれるシンボル数は、２００シンボルである。これらの、変調方式とシンボル数との関係は、記憶部１０６に記憶されている。また、以下の説明では、第１変調方式は、例えば１６ＱＡＭであり、第２変調方式は、ＱＰＳＫである。
また、以下の具体例では、データ伝送システム１の管理者が、上下のビットレートの比を、下り：上り＝７０：３０に設定（図９、ステップＳ１）した場合について説明する。
【００４０】
まず、割当部１０５は、下りの通信で一つのＭＡＣフレームに含まれるシンボル数（１００シンボル）、上りの通信で一つのＭＡＣフレームに含まれるシンボル数（２００シンボル）、ビットレートの比（７０：３０）から、次式（１）のようにビットレートの比をシンボルレートの比に換算する（図９、ステップＳ２）。
【００４１】
下り：上り＝７０×１００：３０×２００＝７：６  ・・・（１）
【００４２】
次に、割当部１０５は、１無線フレーム周期におけるシンボル数（２０００シンボル）を用いて、上りの通信で送信可能なシンボル数を次式（２）のように算出し、下りの通信で送信可能なシンボル数を次式（３）のように算出する（図９、ステップＳ３）。
【００４３】
下り  ２０００×７／（７＋６）＝約１１００（シンボル）  …（２）
【００４４】
上り  ２０００×６／（７＋６）＝約９００（シンボル）  …（３）
【００４５】
次に、割当部１０５は、記憶部１０６に記憶されている情報を用いて、上りの通信及び下りの通信において送信可能なＭＡＣフレーム数を、次式（４）、次式（５）のように算出する（図９、ステップＳ４）。
【００４６】
下り  １１００／１００＝１１（個）  …（４）
【００４７】
上り  ９００／２００＝４（個）、余り１００シンボル  …（５）
【００４８】
次に、割当部１０５は、ステップＳ４で算出した余剰の１００シンボルが、下りの通信に割り当て可能であると判別し、余剰の１００シンボルを下りの通信に割り当てる（図９、ステップＳ４）。この結果、割当部１０５は、下りの通信にＭＡＣフレーム数として１２（＝１１＋１）個を割り当て、上りの通信にＭＡＣフレーム数として４個を割り当てる。
【００４９】
次に、割当部１０５が行うモード２の場合の割り当て処理を、図９を用いて説明する。
（ステップＳ１）データ伝送システム１の管理者が、上下のビットレートの比（実質はシンボルレートの比）を設定する。モード２の処理では、ステップＳ２を行わず、次にステップＳ３に進む。
（ステップＳ３）次に、割当部１０５は、１無線フレーム周期のシンボル数と、ステップＳ１で管理者が設定した上下のビットレートの比をシンボルレートの比の代わりに用いて、上りの通信で送信可能なシンボル数と、下りの通信で送信可能なシンボル数とを、各々算出する。
（ステップＳ４、Ｓ５）割当部１０５は、ステップＳ４とＳ５を、モード１の場合と同様に行う。ただし、モード２の場合は余剰シンボル数の再割り当てを行わない。
以上で、モード２の場合の割り当て処理を終了する。
【００５０】
次に、具体的なモード２の場合の割り当て処理の例を説明する。
以下の具体例では、データ伝送システム１の管理者が、下りの通信と上りの通信との比を、７０：３０に設定（図９、ステップＳ１）した場合について説明する。
次に、割当部１０５は、１無線フレーム周期におけるシンボル数（２０００シンボル）を用いて、上りの通信で送信可能なシンボル数を次式（６）のように算出し、下りの通信で送信可能なシンボル数を次式（７）のように算出する（図９、ステップＳ３）。
【００５１】
下り  ２０００×７／（７＋３）＝約１４００（シンボル）  …（７）
【００５２】
上り  ２０００×３／（７＋３）＝約６００（シンボル）  …（８）
【００５３】
次に、割当部１０５は、記憶部１０６に記憶されている情報を用いて、上りの通信及び下りの通信において送信可能なＭＡＣフレーム数を、次式（９）、次式（１０）のように算出する（図９、ステップＳ４）。
【００５４】
下り  １４００／１００＝１４（個）  …（９）
【００５５】
上り  ６００／２００＝３（個）  …（１０）
【００５６】
割当部１０５は、下りの通信にＭＡＣフレーム数として１４個を割り当て、上りの通信にＭＡＣフレーム数として３個を割り当てる（ステップＳ５）。
【００５７】
以上のように、本発明のデータ伝送システム１は、データ伝送システム１の管理者が選択した通信のモード（モード１、モード２）に応じて、上りの通信と下りの通信とに割り当てるデータを割り当てるようにした。このため、本発明のデータ伝送システム１は、データ伝送システム１が運用されている環境に応じて、データ伝送システム１の管理者が、より適切に上りの通信と下りの通信とに割り当てる割当方式であるモードを選択することができるので、管理者の使い方に応じた運用が可能になり、管理者のニーズを満たすことができる。従って、本発明のデータ伝送システム１は、管理者にとって利便性が向上する。
特に、管理者が、モード１を選択した場合、上りの通信における転送速度、及び下りの通信における転送速度を把握しやすくなるので、本発明のデータ伝送システム１は、管理者にとって利便性が向上する。また、本発明のデータ伝送システム１は、同じ変調周波数を用いているので、周波数毎のライセンス取得にかかるコストを削減できる効果がある。
【００５８】
なお、本実施形態では、第１の通信モードと第２の通信モードを、管理者が入力部（不図示）から設定した上りの通信と下りの通信との割合を示す情報に基づいて、第１の通信モードと第２の通信モードを切り替える例を説明したが、割当部１０５が通信品質に応じて自動的に切り替えるようにしてもよい。
図６を用いて、一例を説明する。まず、交換局３０１に接続されているマスター装置３０２は、基地局３０４に接続されているスレーブ装置３０３との間のみでデータの送受信を行う。なお、この場合に送受信するデータは、例えば、無線通信機器が受信する信号の強度を測定するための信号であるＲＳＳＩ（受信信号強度）信号であってもよい。交換局３０１に接続されているマスター装置３０２は、基地局３０４に接続されているスレーブ装置３０３とのデータの送受信を行っている期間、基地局３０５に接続されているスレーブ装置３０６へデータを送信しないように指示を予め送信しておく。交換局３０１に接続されているマスター装置３０２の割当部１０５は、基地局３０４に接続されているスレーブ装置３０３との間のみでデータの送受信を行ったときの第１のＣＮ比（搬送波対雑音比）を測定する。
次に、交換局３０１に接続されているマスター装置３０２は、基地局３０４に接続されているスレーブ装置３０３及び基地局３０５に接続されているスレーブ装置３０６と間でデータの送受信を行う。交換局３０１に接続されているマスター装置３０２の割当部１０５は、データの送受信を行ったときの第２のＣＮ比（搬送波対雑音比）を測定する。第２のＣＮ比には、基地局３０４に接続されているスレーブ装置３０３と基地局３０５に接続されているスレーブ装置３０６との間における回り込みによる干渉の影響が含まれている。このため、割当部１０５は、測定した第１のＣＮ比と第２のＣＮ比とを比較し、比較した結果に基づいて干渉の影響が所定の大きさより大きいか否かを判別する。そして、割当部１０５は、干渉の影響が所定の閾値より大きいと判別した場合、モード１に切り替え、干渉の影響が所定の閾値より小さいと判別した場合、モード２に切り替えるようにしてもよい。
また、本実施形態では、割当部１０５が、下りの通信方式と上りの通信方式を各データから抽出する例を説明したが、これに限られない。下りの通信方式と上りの通信方式は、予め定めておき、記憶部１０６に記憶させておくようにしてもよい。
【００５９】
本発明は、上述した実施形態に限定されるものではなく、この発明の要旨を逸脱しない範囲内で様々な変形や応用が可能である。
例えば、各実施形態における図１に示したうち、機能の全て、もしくは機能の一部を、図示しないＣＰＵ（中央演算装置）に接続されたＲＯＭ（Ｒｅａｄ  Ｏｎｌｙ  Ｍｅｍｏｒｙ）等に保存されているプログラムにより実行することも可能である。
【符号の説明】
【００６０】
１…データ伝送システム、１０…マスター、２０…スレーブ、３０…ネットワーク、４０…対向機器、５０…端末、１０１…通信インタフェース回路、１０２…下り送信バッファ、１０３…計測部、１０４…切替部、１０５…割当部、１０６…記憶部、１０７…監視部、１０８…ＴＤＤ−ＴＤＭ／ＴＤＭＡ制御回路、１０９…上り受信バッファ、２０１…通信インタフェース回路、２０２…上り送信バッファ、２０３…ＴＤＤ−ＴＤＭ／ＴＤＭＡ制御回路、２０４…下り受信バッファ、２０５…監視部
【図１】
2014096729.tif 000003
【図２】
2014096729.tif 000004
【図３】
2014096729.tif 000005
【図４】
2014096729.tif 000006
【図５】
2014096729.tif 000007
【図６】
2014096729.tif 000008
【図７】
2014096729.tif 000009
【図８】
2014096729.tif 000010
【図９】
2014096729.tif 000011
【図１０】
2014096729.tif 000012